(57)【特許請求の範囲】
【請求項１】
本体と、
入力部、上記入力部が設けられた第１面、及び、当該第１面の反対にある第２面を有する入力パネルと、
上記本体に設けられており、上記入力パネルを回動可能に支持する支持部と、
上記入力パネルの第２面から突出しており、当該第２面と交差する第１側面、及び当該第１側面の反対にある第２側面を有するアーム部材と、
上記本体に設けられており、上記第１側面と交差する方向に沿って移動可能であり、上記第１側面と当接可能である移動部材と、
上記移動部材を上記第１側面に向かって付勢する付勢部材と、
上記第１側面に設けられており、上記入力パネルの回動中心線と同心の円弧に沿って複数が並んでおり、上記移動部材と係合して上記入力パネルの回動を制限可能な係合部と、
上記本体に設けられており、上記第２側面に摺接可能な弾性部材と、
上記本体及び上記アーム部材の一方に設けられており、上記入力パネルの回動中心線周りに沿って弧形状に延びる第１凸部又は第１凹部と、
上記本体及び上記アーム部材の他方に設けられており、上記第１凸部又は第１凹部と嵌合する第２凹部又は第２凸部と、を備えており、
上記移動部材と上記係合部とが当接する当接位置と上記回動中心線との第１垂直距離は、上記入力パネルにおける回動中心線と直交する方向の中心位置と上記入力パネルの回動中心線との第２垂直距離よりも大きく、
上記第１凸部及び上記第２凹部、又は上記第１凹部及び上記第２凸部は、上記第１側面より上記第２側面に近い位置に配置されているパネル装置。
【請求項２】
上記入力部は、ユーザの押下によって入力されるものであり、
上記入力パネルにおいて最も回動先端側に配置された上記入力部と上記回動中心線との第３垂直距離は、上記第１垂直距離以下である請求項１に記載のパネル装置。
【請求項３】
本体と、
入力部、上記入力部が設けられた第１面、及び、当該第１面の反対にある第２面を有する入力パネルと、
上記本体に設けられており、上記入力パネルを回動可能に支持する支持部と、
上記入力パネルの第２面から突出しており、当該第２面と交差する第１側面、及び当該第１側面の反対にある第２側面を有するアーム部材と、
上記本体に設けられており、上記第１側面と交差する方向に沿って移動可能であり、上記第１側面と当接可能である移動部材と、
上記移動部材を上記第１側面に向かって付勢する付勢部材と、
上記第１側面に設けられており、上記入力パネルの回動中心線と同心の円弧に沿って複数が並んでおり、上記移動部材と係合して上記入力パネルの回動を制限可能な係合部と、
上記本体に設けられており、上記第２側面に摺接可能な弾性部材と、を備えており、
上記移動部材と上記係合部とが当接する当接位置と上記入力パネルの回動中心線との第１垂直距離は、上記入力パネルにおける回動中心線と直交する方向の中心位置と上記入力パネルの回動中心線との第２垂直距離よりも大きく、
上記入力部は、ユーザの押下によって入力されるものであり、
上記入力パネルにおいて最も回動先端側に配置された上記入力部と上記回動中心線との第３垂直距離は、上記第１垂直距離以下であるパネル装置。
【請求項４】
上記本体及び上記アーム部材の一方に設けられており、上記回動中心線周りに沿って弧形状に延びる第１凸部又は第１凹部と、
上記本体及び上記アーム部材の他方に設けられており、上記第１凸部又は第１凹部と嵌合する第２凹部又は第２凸部と、を更に備える請求項３に記載のパネル装置。
【請求項５】
上記付勢部材が圧縮バネである請求項１から４のいずれかに記載のパネル装置。
【請求項６】
上記入力パネルは、上記回動中心線に沿った方向の寸法が、上記回動中心線と直交する方向の寸法より長い形状である請求項１から５のいずれかに記載のパネル装置。
【請求項７】
請求項１から６のいずれかに記載のパネル装置と、
シートに画像を記録する記録部とを備える画像記録装置。
【発明の詳細な説明】
【技術分野】
【０００１】
本発明は、操作入力などを行う入力部を備えたパネル装置及び、それを備えた画像記録装置に関する。
【背景技術】
【０００２】
例えば、画像記録装置において、ユーザが操作パネルにおいて入力操作をし易いように、操作パネルの傾きを可変にした画像記録装置が知られている（特許文献１及び２参照）。このような画像記録装置においては、画像記録装置の本体に操作パネルを例えば水平な軸周りに回動可能に設けるとともに、様々な角度位置で操作パネルを固定可能にしている。
【０００３】
しかし、上記従来の画像記録装置においては、各角度位置において固定された操作パネルを他の角度位置に回動させる回動操作を行う場合に、操作パネルの固定状態を解除するためのレバー操作などを行う必要がある。このため、ユーザが上記レバーの存在に気付かないと、ユーザが独力により操作パネルの回動操作を行うことは困難になる。
【先行技術文献】
【特許文献】
【０００４】
【特許文献１】特開２００７−３３４１５７号公報
【特許文献２】特開２００８−６６２５号公報
【発明の概要】
【発明が解決しようとする課題】
【０００５】
上記の不都合を解消する方法としては、パネルを各角度位置で完全に固定してしまうのではなく、パネルの回動を、各角度位置において、入力操作を可能にする程度の抵抗力によって制限する一方、その抵抗力を超える大きな力がパネルの回動方向に加えられた場合には、その力によって、角度位置を変更可能にパネルを支持する構成が考えられる。以下、そのような態様によりパネルを支持することを、説明の便宜のために、「半固定支持」または「半固定支持する」と言う。しかし、操作パネルを半固定支持した場合には、操作パネルにおいてボタン操作などを行ったときに、パネルが揺れたり、傾いたりするのを抑えることが困難になることも考えられる。その結果、操作パネルの良好な操作感が損なわれることも考えられる。
【０００６】
本発明は、上記の事情に鑑みてなされたものであり、その目的は、入力部を有するパネルを回動可能に支持する構成において、パネルの回動を所望の角度位置において制限することが容易であり、且つ入力部による入力操作、及びパネルの回動操作の操作感を向上させることができるパネル装置及び画像記録装置を提供することにある。
【課題を解決するための手段】
【０００７】
(1)  本発明の一実施形態に係るパネル装置は、本体と、入力部、上記入力部が設けられた第１面、及び、当該第１面の反対にある第２面を有する入力パネルと、上記本体に設けられており、上記入力パネルを回動可能に支持する支持部と、上記入力パネルの第２面から突出しており、当該第２面と交差する第１側面、及び当該第１側面の反対にある第２側面を有するアーム部材と、上記本体に設けられており、上記第１側面と交差する方向に沿って移動可能であり、上記第１側面と当接可能である移動部材と、上記移動部材を上記第１側面に向かって付勢する付勢部材と、上記第１側面に設けられており、上記入力パネルの回動中心線と同心の円弧に沿って複数が並んでおり、上記移動部材と係合して上記入力パネルの回動を制限可能な係合部と、上記本体に設けられており、上記第２側面に摺接可能な弾性部材と、を備えており、上記移動部材と上記係合部とが当接する当接位置と上記入力パネルの回動中心線との第１垂直距離は、上記入力パネルにおける回動中心線と直交する方向の中心位置と上記入力パネルの回動中心線との第２垂直距離よりも大きい。
【０００８】
上記構成によれば、付勢部材によりアーム部材の第１側面に向かって付勢されており、該第１側面に当接可能である移動部材が、アーム部材の第１側面に複数が設けられた係合部の１つと係合する。これにより、当該係合部と対応する角度位置においてパネルの回動を制限することができる。したがって、例えば、移動部材及び係合部の形状や、付勢部材の付勢力を適宜に調整することによって、入力パネルを半固定支持することができる。ここで、半固定支持とは、入力パネルの回動を、複数の角度位置において、一定の抵抗力によって制限する一方、その抵抗力を超える力が入力パネルの回動方向に加えられた場合に入力パネルの角度位置を変更可能にパネルを支持することをいう。
【０００９】
また、移動部材と係合部とが係合する第１側面の反対にある第２側面に弾性部材を摺接させることによって、移動部材と係合部との係合による制限を超える力をパネルの回動方向に加えて、入力パネルを回動させる回動操作の操作感を良好にすることができる。
【００１０】
さらに、第１垂直距離が第２垂直距離よりも大きいことによって、移動部材と係合部とが当接する当接位置を、入力パネルの回動先端部に比較的に近い位置に位置させることができる。例えば上記当接位置が回動中心線と隣接する位置である場合と比較すると、比較的に小さな付勢部材の付勢力によって、安定的に入力パネルを半固定支持することができる。したがって、入力パネルにおいて入力操作がなされた場合のパネルの揺れや傾きを抑えることが容易であり、入力操作の操作感を良好にすることが容易になる。また、一般的な横長の入力パネルの左方向及び右方向の端部近傍において、入力操作がなされた場合にも、パネルが揺れたり傾いたりするのを抑えることが容易であり、そのような場合の入力操作の操作感を良好にすることも容易になる。
【００１１】
(2)  好ましくは、該パネル装置においては、上記本体及び上記アーム部材の一方に設けられており、上記回動中心線周りに沿って弧形状に延びる第１凸部又は第１凹部と、上記本体及び上記アーム部材の他方に設けられており、上記第１凸部又は第１凹部と嵌合する第２凹部又は第２凸部と、を更に備える。
【００１２】
上記構成によれば、第１凸部又は第１凹部と、第２凹部又は第２凸部との嵌合により、第２側面と弾性部材との位置関係、及び第１側面と移動部材との位置関係を安定的に規定することができる。第１側面と移動部材との位置関係が規定されることによって、パネルの回動を安定的に制限することができる。第２側面と弾性部材との位置関係が規定されることによって、一般的な横長の入力パネルの左方向及び右方向の端部近傍において、パネルを回動させる回動操作が行われた場合にも、パネルが回動中心線と交差する軸周りに回動することによって、弾性部材と第２側面との間の摩擦力が変動するのを抑制することができる。したがって、上記摩擦力が大きくなり、パネルが回動し難くなったり、上記摩擦力が小さくなり、回動操作の良好な操作感が得られなくなったりするのを防止することができる。
【００１３】
(3)  好ましくは、該パネル装置においては、上記第１凸部及び上記第２凹部、又は、上記第１凹部及び上記第２凸部は、上記第１側面より上記第２側面に近い位置に配置されている。
【００１４】
上記構成によれば、特に第２側面と弾性部材との位置関係を規定することが容易になり、パネルが回動中心線と交差する軸周りに回動することによって、弾性部材と第２側面との間の摩擦力が変動する不具合を防止することが容易になる。
【００１５】
(4)  好ましくは、該パネル装置においては、上記入力部は、ユーザの押下によって入力されるものであり、上記入力パネルにおいて最も回動先部に近い位置に配置された上記入力部と上記回動中心線との第３垂直距離は、上記第１垂直距離以下である。
【００１６】
上記構成によれば、入力部が押しボタンやタッチパネルなどの押下される入力部である場合に、ユーザの入力部の押下によって、パネルが揺れたり傾いたりする不具合を、より小さな付勢部材の付勢力によって抑えることができる。
【００１７】
(5)  好ましくは、該パネル装置においては、上記付勢部材は圧縮バネである。
【００１８】
上記構成によれば、例えば付勢部材がねじりコイルバネ（トーションバーばね）である場合と比較すると、移動部材をアーム部材に向かって付勢する付勢力を調整することが容易になる。これにより、各角度位置において、パネルの回動を安定的に制限することができる。また、アーム部材が弾性部材と当接する力を調節することが容易になり、両者の間の摩擦力を調整することも容易になる。したがって、入力パネルの回動操作の良好な操作感を得ることが容易になる。
【００１９】
(6)  好ましくは、該パネル装置においては、上記入力パネルは、上記回動中心線に沿った方向の寸法が、上記回動中心線と直交する方向の寸法より長い形状である。
【００２０】
上記構成によれば、回動中心線に沿った方向の端部近傍において入力操作及び回動操作がなされた場合に、回動中心線に交差する軸周りにパネルを回動させる大きなモーメントが生じる。そのようなモーメントが生じる場合であっても、本発明によれば、入力操作及び回動操作の良好な操作感を得ることが容易である。
【００２１】
(7)  本発明の一実施形態に係る画像記録装置は、上記パネル装置と、シートに画像を記録する記録部とを備える。
【発明の効果】
【００２２】
本発明によれば、入力部を有するパネルを回動可能に支持する構成において、パネルの回動を所望の角度位置において制限することが容易であり、且つ入力部による入力操作、及びパネルの回動操作の操作感を向上させることができる。
【図面の簡単な説明】
【００２３】
【図１】図１は、本発明の一実施形態に係る画像記録装置としてのプリンタ部１１を含む複合機１０の斜視図であって、パネル７０が第１位置にある状態（ａ）、及び第２位置にある状態（ｂ）を示す。
【図２】図２は、プリンタ部１１の内部構造を模式的に示す縦断面図である。
【図３】図３は、第１位置におけるパネル７０の正面図（ａ）及び（ｂ）上面図である。
【図４】図４は、複合機１０の右側面図である。
【図５】図５は、複合機１０を上方から見た透視図である。
【図６】図６は、パネル７０の右側面図である。
【図７】図７は、図５のＶＩＩ−ＶＩＩ線の矢視断面図である。
【図８】図８は、図５のＶＩＩＩ−ＶＩＩＩ線の矢視断面図である。
【図９】図９は、係合部５７の断面形状を模式的に示す図６のＩＸ−ＩＸ線の矢視断面図である。
【発明を実施するための形態】
【００２４】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上方向７Ａ及び下方向７Ｂが定義され、開口１３が設けられている面を手前（前面４１）として前方向８Ａ及び後方向８Ｂが定義され、複合機１０を手前（前面４１）から見て左方向９Ａ及び右方向９Ｂが定義される。また、以下の各部材の説明では、当該部材が複合機１０に組み付けられた状態によって、上方向７Ａ及び下方向７Ｂと前方向８Ａ及び後方向８Ｂと左方向９Ａ及び右方向９Ｂとが定義されるものとする。なお、可動部材であるパネル７０については、図１（ａ）に示されている第１位置を基準に上方向７Ａ及び下方向７Ｂと前方向８Ａ及び後方向８Ｂと左方向９Ａ及び右方向９Ｂとが定義される。
【００２５】
［複合機１０の全体構成］
図１に示されるように、複合機１０（画像記録装置の一例）は、概ね直方体に形成されている。複合機１０は、その上部に、記録用紙などの原稿に記録された画像をイメージセンサによって読み取って画像データを取得するスキャナ部１２を備えている。また、複合機１０は、その下部に、上記画像データなどに基づいて、記録用紙１５（シートの一例、図２参照）に画像を記録するプリンタ部１１を備えている。プリンタ部１１におけるプリンタ筐体１４の前面４１上部には、複合機１０の操作入力手段であるパネル７０が設けられている。
【００２６】
［スキャナ部１２］
スキャナ部１２は、所謂フラットベッドスキャナとして構成されていが、ここでは、スキャナ部１２の内部構成の詳細な説明は省略される。
【００２７】
［プリンタ部１１］
プリンタ部１１は、概ね直方体に形成されており、正面に開口１３が形成されたプリンタ筐体１４（本体の一例）を有している。
【００２８】
［給紙トレイ２０、下給紙トレイ２０Ａ］
図２に示されるように、プリンタ部１１におけるプリンタ筐体１４の内部には、開口１３から前方向８Ａ及び後方向８Ｂに挿抜可能であって内部に記録用紙１５が収容される給紙トレイ２０と、給紙トレイ２０に収容された記録用紙１５を搬送路２３に沿って搬送させる搬送ローラ対６３及び排出ローラ対６６と、スキャナ部１２によって原稿から読み取られた画像データなどに基づいて、搬送路２３を搬送される記録用紙１５に画像を記録する記録部２４などが配設されている。
【００２９】
プリンタ部１１に装着された状態の給紙トレイ２０の上方向７Ａ且つ記録部２４の下方向７Ｂに給送ローラ２５が設けられている。給送ローラ２５は、給送アーム２６の先端部において軸支されている。給送ローラ２５は、給送用モータ（不図示）から駆動力が伝達されることによって回転される。給送アーム２６は、基端部に設けられた支軸２８を中心として、矢印２９の方向に回動する。これにより、給送ローラ２５は、給紙トレイ２０または当該給紙トレイ２０に支持された記録用紙１５に対して、当接及び離間が可能である。また、給紙トレイ２０の下方向７Ｂには下給紙トレイ２０Ａがプリンタ筐体１４に対して前方向８Ａ及び後方向８Ｂに挿抜可能に設けられている。下給紙トレイ２０Ａの構造と、それに収容された記録用紙１５の搬送及び画像の記録は、給紙トレイ２０の場合と同様であるので、詳細な説明、並びに図２への図示は省略される。
【００３０】
［排紙トレイ２１］
画像が記録された記録用紙１５は、給紙トレイ２０の上側に設けられた排紙トレイ２１に排出され、排紙トレイ２１に載置される。ここで、排紙トレイ２１は、給紙トレイ２０の上側に給紙トレイ２０と重ねられて設けられており、給紙トレイ２０と一体に開口１３に挿抜される。給紙トレイ２０が開口１３に挿入されている状態において、排紙トレイ２１は、開口１３の底面を構成しており、後述するパネル７０の下側に位置している。つまり、画像が記録された記録用紙１５は開口１３内に排出される。
【００３１】
［搬送路２３］
図２に示されるように、搬送路２３は、給紙トレイ２０の後端部を基点として、下方から上方に延びつつＵターンしてから、前方向８Ａに延びて排紙トレイ２１に至る通路である。搬送路２３は、所定間隔を隔てて互いに対向する第１ガイド部材３１及び第２ガイド部材３２によって構成される空間である。記録用紙１５は、搬送路２３を、図２に破線の矢印で示される向きである搬送方向１６に搬送される。
【００３２】
［搬送ローラ対６３及び排出ローラ対６６］
図２に示されるように、搬送路２３における記録部２４よりも搬送方向１６上流には、搬送ローラ６１及びピンチローラ６２よりなる搬送ローラ対６３が設けられている。ピンチローラ６２は、ばねなどの弾性部材（不図示）によって搬送ローラ６１のローラ面に圧接されている。搬送路２３における記録部２４よりも搬送方向１６下流には、排出ローラ６４及び拍車ローラ６５よりなる排出ローラ対６６が設けられている。拍車ローラ６５は、ばねなどの弾性部材（不図示）によって排出ローラ６４のローラ面に圧接されている。
【００３３】
搬送ローラ６１及び排出ローラ６４は、搬送用モータ（不図示）から駆動力が伝達されることによって回転される。駆動力が伝達された搬送ローラ６１及び排出ローラ６４は、ピンチローラ６２及び拍車ローラ６５との間に記録用紙１５を挟持しつつ搬送方向１６へ搬送する。
【００３４】
［記録部２４］
図２に示されるように、記録部２４は、搬送路２３の上方向７Ａに配置されている。搬送路２３の下方向７Ｂ且つ記録部２４と対向する位置には、プラテン４２が設けられている。プラテン４２は、上部によって搬送路２３を搬送される記録用紙１５を支持する部材である。記録部２４は、搬送路２３に対向可能な位置に設けられた記録ヘッド３７と、記録ヘッド３７を搭載したキャリッジ３８とを備えている。記録ヘッド３７には、インクカートリッジ（不図示）から供給されたインクを搬送路２３に向けて吐出するための複数のノズル３６が形成されている。キャリッジ３８は、左方向９Ａ及び右方向９Ｂに往復移動可能に構成されている。キャリッジ３８が左方向９Ａ及び右方向９Ｂへ往復移動されながら、搬送路２３に沿って搬送される記録用紙１５に向かってノズル３６からインク滴が吐出される。これにより、記録用紙１５に画像が記録される。
【００３５】
なお、本実施形態において、記録部２４が記録用紙１５に画像を記録する方式は、インクジェット記録方式であるが、記録部２４が記録用紙１５に画像を記録する方式はインクジェット記録方式に限らず、例えば電子写真方式などであってもよい。
【００３６】
［制御部］
制御部（不図示）は、複合機１０の動作を制御するものであり、マイクロコンピュータや種々の電子部品により構成されている。制御部は、上述した搬送用モータを制御して、記録用紙１５を搬送させる。また、制御部は、記録部２４を制御して、記録用紙１５に画像を記録させる。制御部は、図１に示されるパネル７０と接続されている。制御部には、パネル７０の第１面７０Ａに設けられた入力部（図参照）による入力操作に対応する信号が入力される。
【００３７】
［パネル７０］
図１に示されるように、パネル７０の上端部近傍は、プリンタ筐体１４の前面４１を構成する部材によって回動可能に軸支されている。図３に示されるように、パネル７０の上方向７Ａの端部近傍の左方向９Ａ及び右方向９Ｂのそれぞれの端部には、左方向９Ａ及び右方向９Ｂに延びた突起として回動軸７１が形成されている。つまり、回動軸７１は、左方向９Ａ及び右方向９Ｂに沿って延びている。プリンタ筐体１４の前面４１を構成する部材において、パネル７０の右方向９Ｂの端部から延びた回動軸７１と対向する位置には、回動軸７１と嵌合する孔（不図示）が形成されている。回動軸７１が、その孔に挿通される。これにより、パネル７０は、上方向７Ａの端部近傍の回動中心線Ｌ１の周りに回動可能となる。入力パネルは、回動中心線Ｌ１に沿った方向（ここでは、左方向９Ａ及び右方向９Ｂ）の寸法が、回動中心線Ｌ１と直交する方向（例えば上方向７Ａ及び下方向７Ｂ）の寸法より長い、概略長方形形状である。
【００３８】
パネル７０は、回動軸７１周りに、図１（ａ）に示される第１位置と、図１（ｂ）に示される第２位置とに回動可能である。第１位置はパネル７０の回動先端がプリンタ筐体１４に最も近接する位置である。パネル７０は、第１位置において、前方向８Ａに位置する第１面７０Ａと、後方向８Ｂに位置する第２面７０Ｂとを有している。第１面７０Ａと第２面７０Ｂとはほぼ平行である。第１位置のパネル７０は、第１面７０Ａが上方向７Ａ及び下方向７Ｂと左方向９Ａ及び右方向９Ｂに沿って配置される。第２位置のパネル７０は、その下方向７Ｂの端部が第１位置のときよりも前方向８Ａ且つ上方向７Ａに位置している。つまり、第２位置のパネル７０は、その回動先端が第１位置よりもプリンタ筐体１４から離間している。図４及び図７に、パネル７０が第１位置に位置するときのパネル７０の回動中心線Ｌ１と、パネル７０の回動先端とを通る直線を一点鎖線Ｐ１により示し、パネル７０が第２位置に位置するときのパネル７０の回動中心線Ｌ１と、パネル７０の回動先端とを通る直線を一点鎖線Ｐ２により示す。
【００３９】
図３（ａ）に示されているように、パネル７０の第１面７０Ａには入力部としての操作キー部７２及びタッチパネル７３が設けられている。また、図３（ｂ）及び図６に示されるように、パネル７０の第２面７０Ｂには、左方向９Ａ及び右方向９Ｂにおける略中央部に、アーム部材５４が設けられている。アーム部材５４は、第２面７０Ｂから突出している。アーム部材５４の右方向９Ｂの第１側面５５には、プランジャ５３の先端部５３Ａが当接している。
【００４０】
［操作キー部７２及びタッチパネル７３］
パネル７０の第１面７０Ａには、ユーザの押下によって入力される入力部が左方向９Ａ及び右方向９Ｂに並んで配置されている。本実施形態では、図３（ａ）に示されるように、入力部として、操作キー部７２及びタッチパネル７３が第１面７０Ａに配設されている。つまり、本実施形態では、ユーザの押下によって入力される入力部の一例は操作キー部７２であり、他の一例はタッチパネル７３である。もちろん、入力部は全てが操作キー部７２であってもよく、全てがタッチパネル７３であってもよい。また、本実施形態においては、操作キー部７２及びタッチパネル７３はそれぞれ１個配設されているが、操作キー部７２及びタッチパネル７３の数は１個に限らない。操作キー部７２及びタッチパネル７３の内部には、制御回路基板（不図示）が組み込まれている。操作キー部７２は、複数の操作キーが配置されており、各操作キーに応じた処理がなされるものである。
【００４１】
制御部は、タッチパネル７３に、ユーザへの指示や画像記録に関する情報などを表示させる。つまり、タッチパネル７３は、制御部に制御されることによって装置状態の表示や画像記録に関する表示などを行う表示処理を実行する。ユーザは、タッチパネル７３に表示された情報に基づいて、タッチパネル７３に表示された画像や操作キー部７２を押圧することによって、画像記録の実行などを指示する。操作キー部７２及びタッチパネル７３は、当該押圧に基づく信号を制御部に出力する。つまり、操作キー部７２及びタッチパネル７３は、当該押圧を受け付ける操作処理を実行する。また、画像記録の実行を制御部に指示された記録部２４は、画像記録を実行する。つまり、記録部２４は、操作キー部７２及びタッチパネル７３による処理に応じて、記録用紙１５に画像を記録する。
【００４２】
［アーム部材５４］
図６に示されるように、パネル７０の第２面７０Ｂに、アーム部材５４が設けられている。アーム部材５４は、第２面７０Ｂから突出している。アーム部材５４は、図３（ｂ）に示されるように、第２面７０Ｂと直交する第１側面５５（右方向９Ｂの側面）及び第１側面５５の反対にある第２側面５６（左方向９Ａの側面）を有する。第２側面５６も第２面７０Ｂと直交している。第１側面５５及び第２側面５６は、パネル７０の回動軸７１と同心の円弧形状を有する。また、アーム部材５４は、図７に示されているように、回動中心線Ｌ１周りに沿って弧形状に延びる外周面５４Ｂと、外周面５４Ｂより回動中心線Ｌ１に近い位置において、回動中心線Ｌ１周りに沿って弧形状に延びる内周面５４Ｃとを有する。
【００４３】
図６に示されているように、アーム部材５４の第１側面５５には、プランジャ５３の先端部５３Ａと係合する係合部５７が設けられている。また、図８に示されているように、アーム部材５４の内周面５４Ｃには、回動中心線Ｌ１周りに沿って弧形状に延びる位置決め溝５８（第１凹部の一例）が設けられている。また、図８に示されているように、プリンタ筐体１４には、アーム部材５４の第２側面５６と摺接する摩擦部材６７が設けられている。
【００４４】
［係合部５７］
係合部５７は、パネル７０の回動中心線Ｌ１と同心の円弧Ａ１に沿って複数が並んでいる。円弧Ａ１は、プランジャ５３の先端部５３Ａが係合部５７と当接する当接位置Ｐ３が位置する円弧である。プランジャ５３の先端部５３Ａが当接位置Ｐ３において係合部５７と当接している状態において、プランジャ５３は係合部５７と係合しており、パネル７０の回動が制限されている。係合部５７は、第１側面５５を窪ませた凹部形状を有しており、回動軸７１周りの第１回動方向Ｄ１（パネル７０の第２面７０Ｂから第１面７０Ａに向かう方向）及び、その反対の第２回動方向Ｄ２における中心より第１回動方向Ｄ１に配置された第１斜面５７Ａと、上記中心より第２回動方向Ｄ２に配置された第２斜面５７Ｂとを有している。また、係合部５７は、第１斜面５７Ａと第２斜面５７Ｂとの間に、第１側面５５と略平行な底面５７Ｃを有している。
【００４５】
図９に模式的に示されているように、第１斜面５７Ａは、底面５７Ｃの第１回動方向Ｄ１の端部から立ち上がり、第２斜面５７Ｂは、底面５７Ｃの第２回動方向Ｄ２の端部から立ち上がっている。第１斜面５７Ａが底面５７Ｃから立ち上がる角度（鋭角θ１）は、第２斜面５７Ｂ（鋭角θ２）が底面５７Ｃから立ち上がる角度よりも直角に近い大きな角度になっている。これにより、パネル７０は、第２回動方向Ｄ２へ回動する場合に、第１回動方向Ｄ１へ回動する場合より、プランジャ５３と係合部５７との係合による制限を受けやすくなっている。換言すれば、パネル７０は第２回動方向Ｄ２へ第１回動方向Ｄ１より回動し難くなっている。これによって、第１面７０Ａにおける入力操作の際にユーザが比較的に大きな力により操作キー部７２においてキーなどを押下しても、パネル７０が第２回動方向Ｄ２へ回動するのを容易に制限することができる。したがって、パネル７０の半固定支持が容易になる。
【００４６】
ここで、図６に示されている当接位置Ｐ３と、パネル７０の回動中心線Ｌ１との垂直距離を第１垂直距離Ｓ１とする。また、パネル７０における回動中心線Ｌ１と直交する方向の中心位置Ｐ４とパネル７０の回動中心線Ｌ１との垂直距離を第２垂直距離Ｓ２とする。パネル７０においては、第１垂直距離Ｓ１は、第２垂直距離Ｓ２より大きくなっている。これにより、パネル７０を安定的に支持することが容易になり、プランジャ５３と係合部５７との係合によりパネル７０を安定的に支持することが容易になる。なお、パネル７０において最も回動先端に近い位置に配置された入力部（例えばタッチパネル７３の下方向７Ｂ端）と回動中心線Ｌ１との垂直距離を第３垂直距離Ｓ３とすると、図６に示されている状態においては、第３垂直距離Ｓ３は第１垂直距離Ｓ１より大きくなっている。しかし、第１垂直距離Ｓ１を第３垂直距離Ｓ３より大きくすることによって、タッチパネル７３の下方向７Ｂ端において入力操作が行われたときの操作感を良好にすることができる。したがって、設計的に可能であれば、例えば当接位置Ｐ３が二点鎖線の円弧Ａ２の位置に位置するようにアーム部材５４のパネル７０への取り付け位置を変更することによって、タッチパネル７３などの入力操作の操作感をさらに良好にすることができる。
【００４７】
［プランジャ５３］
図８に示されているように、プランジャ５３は、プリンタ筐体１４に設けられており、第１側面５５と直交する方向に沿って延びる溝状の支持部６９によって、第１側面５５と当接可能に支持されている。プランジャ５３は、支持部６９により、第１側面５５と直交する方向に沿って移動可能に支持される。プランジャ５３は、中空部５３Ｃを有する角筒状の部材であり、中空部５３Ｃに、第１側面５５と直交する方向に軸方向が延びる圧縮バネ５３Ｂが配置されている。
【００４８】
圧縮バネ５３Ｂは、一端部が中空部５３Ｃに配された突起６９Ａと嵌合し、他端部が支持部６９の第１側面５５と対向する端面に設けられた突部６９Ｂにより、上方向７Ａ及び下方向７Ｂと前方向８Ａ及び後方向８Ｂとにおいて位置決めさている。その状態において、圧縮バネ５３Ｂは、プランジャ５３を第１側面５５に向かって付勢している。プランジャ５３は、先端部５３Ａが係合部５７の凹部形状と対応する形状を有しており、先端部５３Ａが係合部５７に嵌まり込むことによって、当該係合部５７と対応する角度位置において、パネル７０の回動を制限する。また、プランジャ５３は、プランジャ５３の外周面に当接可能に設けられた軸状の位置決め部材６８によって、先端部５３Ａが係合部５７と係合した状態において、左方向９Ａ及び右方向９Ｂの位置を固定可能である。
【００４９】
［摩擦部材６７］
摩擦部材６７は、例えば、表面に摺動性を高めるコーティングを施したゴム（高摺動性ゴムと称する）から形成されている。摩擦部材６７は、図８に示されているように、アーム案内部６０に設けられており、僅かに圧縮された状態においてアーム部材５４の第２側面５６と接触している。摩擦部材６７は、角柱形状を有しており、その軸方向が第２側面５６と垂直に配置される。弾性部材である摩擦部材６７が第２側面５６に摺接することによって、パネル７０を回動操作する際のガタつきを抑えることができ、回動操作の操作感を良好にすることができる。
【００５０】
［位置決め溝５８、凸部５９］
図７に示されているように、アーム部材５４は、プリンタ筐体１４に設けられ、アーム部材５４を先端部から挿入可能な円弧状のスロットであるアーム案内部６０により案内される。アーム案内部６０は、左方向９Ａ及び右方向９Ｂにおいて、図８に示す位置決め溝５８（第１凹部の一例）と対応する位置に、上方向７Ａに突出して、位置決め溝５８と嵌合する角柱状の凸部５９（第２凸部の一例）を有している。パネル７０は、位置決め溝５８に凸部５９が嵌合した状態において、第１位置と第２位置とに回動する。位置決め溝５８及び凸部５９は、左方向９Ａ及び右方向９Ｂにおいて、第１側面５５より第２側面５６に近い位置に配置されている。これにより、パネル７０の方向９Ａ及び右方向９Ｂの端部近傍に力が加えられた場合にも、回動軸７１に交差する軸周りにパネル７０が回動するのを抑えることができる。よって、摩擦部材６７とアーム部材５４との摩擦力の変動を抑えることができ、パネル７０の回動操作の操作感を良好にすることができる。
【００５１】
また、図８に示されているように、位置決め溝５８に対して右方向９Ｂの位置に案内溝５１が位置決め溝５８と平行に延びている。パネル７０の回動方向に延びている。図７に示されているように、案内溝５１の第２回動方向Ｄ２の端部には、当接部５４Ａが設けられている。当接部５４Ａは、案内溝５１の内部空間へ案内溝５１の底部５１Ａから回動中心方向Ｄ３に突出しており、パネル７０が第２位置に位置する状態において、ストッパ６０Ａと当接する当接部５４Ａが設けられている。当接部５４Ａがストッパ６０Ａと当接することによって、パネル７０が第２位置において第１回動方向Ｄ１へ回動することが阻止され、パネル７０が第２位置に位置決めされる。
【００５２】
［実施形態の効果］
【００５３】
上記実施形態によれば、図６に示した第１垂直距離Ｓ１が第２垂直距離Ｓ２より大きくなっていることによって、圧縮バネ５３Ｂとして付勢力の大きいバネを使用することなく、タッチパネル７３などの入力操作の操作感を良好にすることができる。
【００５４】
上記実施形態によれば、プランジャ５３と係合部５７とが係合する第１側面５５の反対にある第２側面５６に摩擦部材６７を摺接させることによって、パネル７０を回動させる回動操作の操作感を良好にすることができる。
【００５５】
［変形例］
上記実施形態においては、位置決め溝５８をアーム部材５４に設け、それに嵌合する凸部５９をプリンタ筐体１４に設けている。これに限られず、回動中心線Ｌ１周りに沿って弧形状に延びる凸部をアーム部材５４に設ける一方、凸部を挟むことができる形状の凹部をプリンタ筐体１４に設けてもよい。あるいは、位置決め溝５８をプリンタ筐体１４に設け、それに嵌合する凸部をアーム部材５４に設けてもよく、回動中心線Ｌ１周りに沿って弧形状に延びる凸部をプリンタ筐体１４に設ける一方、その凸部を挟むことができる形状の凹部をアーム部材５４に設けてもよい。また、位置決め溝５８及び凸部５９を第２側面５６より第１側面５５に近い位置に配置することもできる。
【００５６】
プランジャ５３は、圧縮バネ５３Ｂに代えて、例えばトーションばねによって、第１側面５５に向かって付勢されていてもよい。
【符号の説明】
【００５７】
１０…複合機
１１…プリンタ部（画像記録装置）
１４…プリンタ筐体
１５…記録用紙
２４…記録部
５３…プランジャ（移動部材）
５３Ａ…先端部
５３Ｂ…圧縮バネ
５４…アーム部材
５５…第１側面
５６…第２側面
５７…係合部
５８…位置決め溝（第１凹部）
５９…凸部（第２凸部）
６７…摩擦部材
７０…パネル
７０Ａ…第１面
７０Ｂ…第２面
７１…回動軸
７２…操作キー部
７３…タッチパネル
【図１】
0006358149.tif 000002
【図２】
0006358149.tif 000003
【図３】
0006358149.tif 000004
【図４】
0006358149.tif 000005
【図５】
0006358149.tif 000006
【図６】
0006358149.tif 000007
【図７】
0006358149.tif 000008
【図８】
0006358149.tif 000009
【図９】
0006358149.tif 000010